【事件の表示】
　特許第３３１３５８２号「チェーンソー」の請求項１、２に係る特許に対する特許異議の申立てについて、次のとおり決定する。
【結　論】
　訂正を認める。
　特許第３３１３５８２号の請求項１ないし２に係る特許を取り消す。
【理　由】
第１　手続の経緯
　特許第３３１３５８２号の請求項１ないし２に係る発明についての出願は、平成８年８月１２日に特許出願され、平成１４年５月３１日に設定登録され、その後、（株）共立より請求項１ないし２に係る特許について特許異議の申立てがなされ、取消理由通知がなされ、その指定期間内である平成１５年６月１８日に訂正請求がなされたものである。
第２　訂正の適否
１　訂正請求の内容
（１）訂正事項ａ
　特許請求の範囲の請求項１の「ケース本体（１）の前端面（１ｄ）から前方に延びるガイドバー（２）を設け、このガイドバー（２）の周囲を回るように刃付きチェーン（３）を設けたチェーンソーであって、平面視においてほぼ四角形状を呈するケース本体（１）には、同じく平面視において直線状を呈するガイドバー（２）をケース本体（１）の側面（１ｃ）の反対の側面寄りに配置すると共に、前端面（１ｄ）の大略中央位置から側面（１ｃ）の所定位置に渡って平面視において直線状を呈して傾斜する傾斜面（１ｅ）を形成し、ケース本体（１）の前部側には少なくとも側面（１ｃ）を横切るようにフロントハンドル（５）を設け、このフロントハンドル（５）を傾斜面（１ｅ）より後方に位置するように配置したことを特徴とするチェーンソー。」を、
「ケース本体（１）の前端面（１ｄ）から前方に延びるガイドバー（２）を設け、このガイドバー（２）の周囲を回るように刃付きチェーン（３）を設けたチェーンソーであって、平面視においてほぼ四角形状を呈するケース本体（１）には、同じく平面視において直線状を呈するガイドバー（２）をケース本体（１）の側面（１ｃ）の反対の側面寄りに配置すると共に、前端面（１ｄ）の大略中央位置から側面（１ｃ）の所定位置に渡って平面視において直線状を呈して傾斜する傾斜面（１ｅ）を形成し、ケース本体（１）の前部側には少なくとも側面（１ｃ）を横切るようにフロントハンドル（５）を設け、このフロントハンドル（５）を傾斜面（１ｅ）より後方に位置するように配置すると共に、このフロントハンドル（５）を、前記傾斜面（１ｅ）とほぼ同方向に傾斜して設けたことを特徴とするチェーンソー。」と訂正する。
（２）訂正事項ｂ
　特許明細書の【０００８】項を、
「　【課題を解決するための手段】
　上記目的を達成するために、この発明は、ケース本体（１）の前端面（１ｄ）から前方に延びるガイドバー（２）を設け、このガイドバー（２）の周囲を回るように刃付きチェーン（３）を設けたチェーンソーであって、平面視においてほぼ四角形状を呈するケース本体（１）には、同じく平面視において直線状を呈するガイドバー（２）をケース本体（１）の側面（１ｃ）の板体（当審注：「板体」は、「反対」の誤記と認める。）の側面寄りに配置すると共に、前端面（１ｄ）の大略中央位置から側面（１ｃ）の所定位置に渡って平面視において直線状を呈して傾斜する傾斜面（１ｅ）を形成し、ケース本体（１）の前部側には少なくとも側面（１ｃ）を横切るようにフロントハンドル（５）を設け、このフロントハンドル（５）を傾斜面（１ｅ）より後方に位置するように配置すると共に、このフロントハンドル（５）を、前記傾斜面（１ｅ）とほぼ同方向に傾斜して設けたことを特徴としている。」と訂正する。
（３）訂正事項ｃ
　特許明細書の【００１９】項を、
「フロントハンドル５は、一端部がアッパハンドル４の先端部に連結され、他端部が図示しない連結手段を介してケース本体１の下面１ｇに連結されている。そして、このフロントハンドル５は、アッパハンドル４からケース本体１の上面１ｂ及び他方の側面１ｃを横切るとともに、全体が傾斜面１ｅよりやや後方に位置するように形成されており、かつ図１に示すように、前記傾斜面１ｅとほぼ同方向に傾斜してある。」と訂正する。
（４）訂正事項ｄ
　特許明細書の【００２８】項を、
「さらに、フロントハンドル（５）を傾斜面（１ｅ）より後方に配置し、かつ前記傾斜面（１ｅ）とほぼ同方向に傾斜して設けたものにあっては、フロントハンドル（５）が木の幹（Ｔ２）に当たるのを避けることができるから、ガイドバー（２）を長くしなくても刃付きチェーン（３）を木の幹（Ｔ２）により十分近付けることができる。したがって、小型で操作性の良好なチェーンソーを得ることができる。」と訂正する。
２　訂正の目的の適否、新規事項の有無および拡張・変更の存否
（１）訂正事項ａについて
　この訂正は、特許請求の範囲の請求項１の「フロントハンドル（５）を傾斜面（１ｅ）より後方に位置するように配置したこと」を、「フロントハンドル（５）を傾斜面（１ｅ）より後方に位置するように配置すると共に、このフロントハンドル（５）を、前記傾斜面（１ｅ）とほぼ同方向に傾斜して設けたこと」と限定するものであるから、特許請求の減縮に該当する。そして、この訂正は図１の記載に基づくものであるから、願書に添付した明細書又は図面に記載した事項の範囲内の訂正であって、かつ、実質上特許請求の範囲を拡張し、又は変更するものではない。
（２）訂正事項ｂ、ｃ及びｄについて
　これらの訂正は、訂正事項ａによる特許請求の範囲の請求項１の訂正に伴い、発明の詳細な説明の記載をこれに整合するように訂正するものであるから、明りょうでない記載の釈明を目的とし、新規事項の追加に該当せず、実質上特許請求の範囲を拡張し、又は変更するものではない。
３　むすび
　以上のとおりであるから、上記訂正は、特許法第１２０条の４第２項及び第３項において準用する同法第１２６条第２、３項の規定に適合するので、当該訂正を認める。
第３　取消理由についての判断
１　本件発明
　本件特許第３３１３５８２号の請求項１ないし２に係る発明（以下、それぞれ「本件発明１」ないし「本件発明２」という。）は、訂正明細書及び出願当初の図面からみて、その特許請求の範囲の請求項１ないし２に記載された次のおりのものと認める。
「　【請求項１】　ケース本体（１）の前端面（１ｄ）から前方に延びるガイドバー（２）を設け、このガイドバー（２）の周囲を回るように刃付きチェーン（３）を設けたチェーンソーであって、
　平面視においてほぼ四角形状を呈するケース本体（１）には、同じく平面視において直線状を呈するガイドバー（２）をケース本体（１）の側面（１ｃ）の反対の側面寄りに配置すると共に、前端面（１ｄ）の大略中央位置から側面（１ｃ）の所定位置に渡って平面視において直線状を呈して傾斜する傾斜面（１ｅ）を形成し、ケース本体（１）の前部側には少なくとも側面（１ｃ）を横切るようにフロントハンドル（５）を設け、このフロントハンドル（５）を傾斜面（１ｅ）より後方に位置するように配置すると共に、このフロントハンドル（５）を、前記傾斜面（１ｅ）とほぼ同方向に傾斜して設けたことを特徴とするチェーンソー。
　　【請求項２】　ケース本体（１）の前部側には潤滑油又は燃料若しくは双方を溜めるタンク（１３）を設け、傾斜面（１ｅ）は少なくともタンク（１３）の部分を斜めに傾斜させることによって形成したものであることを特徴とする請求項１記載のチェーンソー。」
２　引用刊行物
　当審が通知した取消理由通知に引用した刊行物である実公平７−１１９２３号公報（特許異議申立人の提出した甲第１号証。以下「引用刊行物」という。）には、次の事項が記載されている。
（１）「チエーンソーはエンジン（図示せず）を内部に取り付けた機体１を有し、該機体１は適当な合成樹脂材料から成形され、左右に二分割にされたカバー部分２及び３によって構成された構造を有し、」（第３欄第２８〜３１行）
（２）「前記左側のカバー部分２に前ハンドル８が設けられている。該前ハンドル８は、前記機体１と同様な合成樹脂材料から成形され、前記左側のカバー部分２の上部前方部分９の側部に取付けられる上端１０から前記左側のカバー部分２の下部側方部分１１に取付けられる下端１２まで、前記左側のカバー部分２の外側表面から作業者の手が楽に入る様に適当に離間して延びる湾曲した形状を有している。前記前ハンドル８は、その表裏方向に薄く、且つ前記機体１の前後方向に幅広い扁平な、握り易い断面形状を有する。」（第３欄第４０行〜第４欄第１行）
（３）「前記機体１の前部には、それから前方へ突出する鋸刃チエーン案内板１７が設けられ、該鋸刃チエーン案内板１７は、その周囲に無端の鋸刃チエーン（図示せず）を駆動可能に案内支持し、」（第４欄第１０〜１３行）
（４）「【図面の簡単な説明】
第１図、第２図及び第３図は本考案に係る一実施例チエーンソーの異なる方向からみた斜視図であり、第４図は第１図から第３図までのチエーソーの前ハンドルの立面図である。」（第４欄第４２〜４６行）
（５）平面視においてほぼ四角形状を呈する機体１には、同じく平面視において、直線上を呈する鋸刃チエーン案内板１７を機体１の左側のカバー部分２の外側表面の反対の右側のカバー部分３の外側表面よりに配置すると共に、前端面の大略中央位置から左側のカバー部分２の外側表面の所定位置に渡って平面視において外側に膨らんだ曲線状を呈する傾斜面を形成したこと。（第１図及び第２図参照）
（６）機体１の前部側には少なくとも左側のカバー部分２の外側表面を横切るように前後方向に幅広い扁平な前ハンドル８を設け、この前ハンドル８を、外側に膨らんだ曲線状の傾斜面の、中央上部から後下方に延びるように配置したこと。（第２図及び第４図参照）
　以上の記載事項（１）〜（６）から、引用刊行物には次の発明（以下「引用刊行物記載の発明」という。）が記載されていると認める。
　左右に二分割にされたカバー部分２及び３によって構成された構造を有している機体１の前端面から前方に延びる鋸刃チエーン案内板１７を設け、この鋸刃チエーン案内板１７の周囲を回るように鋸刃チエーンを設けたチエーンソーであって、
　平面視においてほぼ四角形状を呈する機体１には、同じく平面視において直線状を呈する鋸刃チエーン案内板１７を機体１の左側のカバー部分２の外側表面の反対の右側のカバー部分３の外側表面寄りに配置すると共に、前端面の大略中央位置から機体１の左側のカバー部分２の外側表面の所定位置に渡って平面視において外側に膨らんだ曲線状を呈する傾斜面を形成し、機体１の前部側には少なくとも機体１の左側のカバー部分２の外側表面を横切るように、表裏方向に薄く、且つ前後方向に幅広い扁平な前ハンドル８を設け、この前ハンドル８を外側に膨らんだ曲線状の傾斜面の、中央上部から後下方に延びるように配置して設けたチエーンソー。
３　対比・検討
（１）本件発明１について
　本件発明１と引用刊行物記載の発明とを対比すると、引用刊行物記載の発明の「機体１」、「鋸刃チエーン案内板１７」、「鋸刃チエーン」、「機体１の左側のカバー部分２の外側表面」、及び「前ハンドル８」は、本件発明１の「ケース本体（１）」、「ガイドバー（２）」、「刃付きチェーン（３）」、「ケース本体の側面（１ｃ）」、及び「フロントハンドル（５）」にそれぞれ相当するので、両者は、
「ケース本体の前端面から前方に延びるガイドバーを設け、このガイドバーの周囲を回るように刃付きチェーンを設けたチェーンソーであって、
　平面視においてほぼ四角形状を呈するケース本体には、同じく平面視において直線状を呈するガイドバーをケース本体の側面（１ｃ）の反対の側面寄りに配置すると共に、前端面の大略中央位置から側面（１ｃ）の所定位置に渡って平面視において傾斜面を形成し、ケース本体の前部側には少なくとも側面（１ｃ）を横切るようにフロントハンドルを設けたチェーンソー。」である点において一致し、次の点で相違している。
　相違点１：本件発明１は、平面視において傾斜する傾斜面が直線状を呈しているのに対して、引用刊行物記載の発明は、前記傾斜面が、外側に膨らんだ曲線状を呈している点。
　相違点２：本件発明１は、フロントハンドルを傾斜面より後方に位置すると共に、前記傾斜面とほぼ同方向に傾斜して設けたのに対して、引用刊行物記載の発明は、フロントハンドルを外側に膨らんだ曲線状の傾斜面の、中央上部から後下方に延びるように配置して設けた点。
　そこで、上記相違点１、２について検討すると、
　相違点１については、本件発明１では、傾斜面がケース本体の前端面の大略中央位置から側面（１ｃ）の所定位置に渡って平面視において直線状を呈して傾斜しているものの、その角度は何ら特定されてないので、この点を格別なものとすることはできない。従って、引用刊行物記載の発明のケース本体の外側に膨らんだ曲線状の傾斜面を直線状とすることは当業者が適宜なし得た設計変更にすぎないことである。
　相違点２については、引用刊行物記載の発明のフロントハンドルは、その表裏方向に薄く、且つ本体ケースの前後方向に幅広い扁平な断面形状をしている。従って、ケース本体の側面からの突出量が少なく、また、少なくとも、外方に膨らんだ傾斜面の前部よりも後方に位置するように配置されているといえる。そして、前記本件発明１の角度が何ら特定されていない直線状の傾斜面が、引用刊行物記載の発明のフロントハンドルと外方に膨らんだ曲線状の傾斜面とに接するようにした平面視直線状の面を傾斜面としたものと比較して、格別な効果を奏するとはいえないので、引用刊行物記載の発明のフロントハンドルを平面視において直線状を呈して傾斜する傾斜面より後方に位置すると共に、前記傾斜面とほぼ同方向に傾斜して設けることは当業者が容易になし得た設計的事項にすぎないことである。
（２）本件発明２について
　本件発明２と引用刊行物記載の発明とを対比すると、両者は、前記相違点１、２に加えて、さらに、次の点で相違している。
　相違点３：本件発明２は、ケース本体の前部側には潤滑油又は燃料若しくは双方を溜めるタンクを設け、傾斜面は少なくともタンクの部分を斜めに傾斜させることによって形成したものに対して、引用刊行物記載の発明は、その点が不明な点。
　前記相違点３について検討すると、ケース本体の前部側に潤滑油又は燃料を溜めるタンクを設けることは、例えば、米国特許第４，３８２，３３３号明細書（クラス３０/３８１）にも記載されているように周知技術であるので、この周知技術を引用刊行物記載の発明に適用し、その際に、ケース本体の傾斜面を少なくとも前記タンクの部分を斜めに傾斜させることによって形成することは当業者であれば容易になし得た設計的事項にすぎないことと認められる。
　また、本件発明２の奏する効果も、引用刊行物記載の発明、及び周知技術から当業者であれば予測できる程度のものであって格別なものでもない。
第４　むすび
　以上のとおりであるから、本件発明１ないし２は、上記引用刊行物記載の発明及び周知技術に基づいて当業者が容易に発明をすることができたものであるから、本件発明１ないし２についての特許は、特許法第２９条第２項の規定に違反してされたものである。
　したがって、本件発明１ないし２についての特許は、特許法第１１３条第２号に該当し、取り消されるべきものである。
　よって、結論のとおり決定する。
【異議決定日】
平成１５年６月３０日（２００３．６．３０）
【訂正の要旨】
審決（決定）の【理由】欄参照。
（５４）【発明の名称】
チェーンソー
（５７）【特許請求の範囲】
　【請求項１】　ケース本体（１）の前端面（１ｄ）から前方に延びるガイドバー（２）を設け、このガイドバー（２）の周囲を回るように刃付きチェーン（３）を設けたチェーンソーであって、
　平面視においてほぼ四角形状を呈するケース本体（１）には、同じく平面視において直線状を呈するガイドバー（２）をケース本体（１）の側面（１ｃ）の反対の側面寄りに配置すると共に、前端面（１ｄ）の大略中央位置から側面（１ｃ）の所定位置に渡って平面視において直線状を呈して傾斜する傾斜面（１ｅ）を形成し、ケース本体（１）の前部側には少なくとも側面（１ｃ）を横切るようにフロントハンドル（５）を設け、このフロントハンドル（５）を傾斜面（１ｅ）より後方に位置するように配置
すると共に、このフロントハンドル（５）を、前記傾斜面（１ｅ）とほぼ同方向に傾斜して設けた
　【請求項２】　ケース本体（１）の前部側には潤滑油又は燃料若しくは双方を溜めるタンク（１３）を設け、傾斜面（１ｅ）は少なくともタンク（１３）の部分を斜めに傾斜させることによって形成したものであることを特徴とする請求項１記載のチェーンソー。
【発明の詳細な説明】
　【０００１】
　【発明の属する技術分野】
　この発明は、刃付きチェーンを備えたチェーンソーに関する。
　【０００２】
　【従来の技術】
　この種のチェーンソーとしては、例えば図５に示すものがある。すなわち、ケース本体１の前方には平板状のガイドバー２が設けられており、このガイドバー２の周囲には刃付きチェーン（ソーチェーン）３が巻回されている。ケース本体１内には、刃付きチェーン３を駆動するエンジンやキャブレター、あるいは燃料タンク等の各部品（図示せず）が収納されている。そして、これらの部品を有効に収納するため、ケース本体１は、平面視においてほぼ四角形状に形成されている。
　【０００３】
　さらに、ケース本体１には、アッパハンドル４及びフロントハンドル５が設けられている。アッパハンドル４は、ケース本体１の上面１ｂ側に、前後方向に延在するように設けられている。そして、このアッパハンドル４には、エンジンの回転数を変化させることによって、刃付きチェーン３の移動速度を調整するスロットルレバー（図示せず）が設けられている。一方、フロントハンドル５は、ケース本体１の前部にあって、アッパハンドル４の先端部から側面１ｃを横切るように設けられている。
　【０００４】
　上記のように構成されたチェーンソーにおいては、一方の手でアッパハンドル４を持ち他方の手でフロントハンドル５を持って、例えば木の枝Ｔ１を、図５に示すようにして切断する。
　【０００５】
　【発明が解決しようとする課題】
　ところが、図５に示すように、フロントハンドル５が幹Ｔ２に当たり、枝Ｔ１を根元から切断することができないという欠点がある。そこで、図６に示すように、フロントハンドル５の先端部をケース本体１の前端面１ｄから遠のくように傾斜させることも考えられるが、今度は側面１ｃが幹Ｔ２に当ってしまうので、どうしても枝Ｔ１を短かく切断することができないという問題がある。
　【０００６】
　また、図７に示すように、ガイドバー２を長くし、幹Ｔ２にケース本体１及びフロントハンドル５が当たらないようにすれば、枝Ｔ１を根元から切断することができるが、このようなチェーンソーは必然的に大型となり、重量が増大して操作性が低下すると共にコスト高になるという問題がある。
　【０００７】
　この発明は上述した問題を解消するためになされたもので、その目的は、枝を十分短く切断することのできる小型で操作性の良好なチェーンソーを提供することにある。
　【０００８】
　【課題を解決するための手段】
　上記目的を達成するために、この発明は、ケース本体（１）の前端面（１ｄ）から前方に延びるガイドバー（２）を設け、このガイドバー（２）の周囲を回るように刃付きチェーン（３）を設けたチェーンソーであって、平面視においてほぼ四角形状を呈するケース本体（１）には、同じく平面視において直線状を呈するガイドバー（２）をケース本体（１）の側面（１ｃ）の板体の側面寄りに配置すると共に、前端面（１ｄ）の大略中央位置から側面（１ｃ）の所定位置に渡って平面視において直線状を呈して傾斜する傾斜面（１ｅ）を形成し、ケース本体（１）の前部側には少なくとも側面（１ｃ）を横切るようにフロントハンドル（５）を設け、このフロントハンドル（５）を傾斜面（１ｅ）より後方に位置するように配置
すると共に、このフロントハンドル（５）を、前記傾斜面（１ｅ）とほぼ同方向に傾斜して設けた
　【０００９】
　また、上記ケース本体（１）の前部側には潤滑油又は燃料若しくは双方を溜めるタンク（１３）を設け、上記傾斜面（１ｅ）は少なくともタンク（１３）の部分を斜めに傾斜させることによって形成することが好ましい。
　【００１０】
　さらに、上記ケース本体（１）の前部側には少なくとも側面（１ｃ）を横切るようにフロントハンドル（５）を設け、このフロントハンドル（５）を傾斜面（１ｅ）より後方に配置することが好ましい。
　【００１１】
　そして、上記のように構成された発明においては、ケース本体（１）の前端面（１ｄ）と側面（１ｃ）との間に傾斜面（１ｅ）が形成されているから、刃付きチェーン（３）を木の幹（Ｔ２）に十分近付けることができる。したがって、木の枝（Ｔ１）を十分短く切断することができる。
　【００１２】
　また、ケース本体（１）の前部側に潤滑油又は燃料若しく双方を溜めるタンク（１３）を設け、少なくともタンク（１３）の部分を斜めに傾斜させて傾斜面（１ｅ）を形成したものにあっては、タンク（１３）としては形状を変えても性能を損なうことがないから、傾斜面（１ｅ）を容易に形成することができる。
　【００１３】
　さらに、フロントハンドル（５）を傾斜面（１ｅ）より後方に配置させたものにあっては、フロントハンドル（５）が木の幹（Ｔ２）に当たるのを避けることができるから、ガイドバー（２）を長くしなくても刃付きチェーン（３）を木の幹（Ｔ２）により十分近付けることができる。したがって、小型で操作性の良好なチェーンソーを得ることができる。
　【００１４】
　【発明の実施の形態】
　以下、この発明の一実施の形態を図１〜図４を参照して説明する。ただし、図５に示す従来例と共通する要素には同一の符号を付し、その説明を簡略化する。
　【００１５】
　この実施の形態で示したチェーンソーは、図１〜図２に示すように、ケース本体１の前端面１ｄから前方に延びる平板状のガイドバー２を設け、このガイドバー２の周囲を回るように刃付きチェーン３を設けたものであって、前記ケース本体１には、前端面１ｄと側面１ｃとの間に、前方に向かうにしたがって前記ガイドバー２に近付くように傾斜する傾斜面１ｅを形成したことを特徴としている。
　【００１６】
　ケース本体１は、箱状に形成されており、その中央部にはエンジン１１が設けられている。エンジン１１は、そのシリンダ１１ａの軸線がケース本体１の前後方向の軸線に一致しているとともに、後方に向かってヘッドが下がるように傾斜している。そして、この傾斜によって、シリンダ１１ａの上側には空間が形成されており、この空間にはキャブレター１２が配置されている。このようにキャブレター１２を設けることによって、ケース本体１の上面１ｂが上方に盛り上がるのを防止することができる。また、エンジン１１のクランク軸１１ｂは、図示しない遠心クラッチを介して刃付きチェーン３の駆動手段（図示せず）に連結されている。
　【００１７】
　ケース本体１の前端部には、仕切りを設けることによって、潤滑油又は燃料若しくは双方を溜めるタンク１３が一体に構成されており、このタンク１３の側面の部分が傾斜面１ｅになっている。
　【００１８】
　また、ケース本体１の上面１ｂ及び後端面１ｆには、アッパハンドル４が取り付けられており、このアッパハンドル４には、スロットルレバー４１と、このスロットルレバー４１をアイドル回転位置に保持するためのストッパレバー４２とが揺動自在に設けられている。スロットルレバー４１は、スロットルロッド４３を介してキャブレター１２に接続されており、手で握って上方に揺動させる（図４においてＢ方向に揺動させる）ことにより、エンジン１１の回転数を増加させるようになっている。なお、スロットルレバー４１を離せば、図示しないスプリングによって、もとのアイドル回転位置に戻るようになっている。ストッパレバー４２は、下方に揺動させる（図４においてＡ方向に揺動させる）ことにより、スロットルレバー４１をアイドル回転位置に固定する部分が外れるようになっている。
　【００１９】
　フロントハンドル５は、一端部がアッパハンドル４の先端部に連結され、他端部が図示しない連結手段を介してケース本体１の下面１ｇに連結されている。そして、このフロントハンドル５は、アッパハンドル４からケース本体１の上面１ｂ及び他方の側面１ｃを横切るとともに、全体が傾斜面１ｅよりやや後方に位置するように形成されて
おり、かつ図１に示すように、前記傾斜面１ｅとほぼ同方向に傾斜してある。
　【００２０】
　また、図４において、１１ｄは吸気口、１１ｅは掃気口、１１ｆはピストン、１１ｇは点火栓である。
　【００２１】
　上記のように構成されたチェーンソーにおいては、ストッパレバー４２をＡ方向に揺動させると、スロットルレバー４１がＢ方向に揺動自在になる。そこで、スロットルレバー４１をＢ方向に揺動させると、エンジン１１の回転数が上昇し、所定の回転数に達すると、遠心クラッチによってエンジン１１の回転が刃付きチェーン３に伝わるようになる。そして、スロットルレバー４１によって刃付きチェーン３の速度を所定の速度に調整しながら、例えば木の枝Ｔ１を切断する。
　【００２２】
　この際、側面１ｃの前端部に傾斜面１ｅが形成されているから、刃付きチェーン３を木の幹Ｔ２に十分近付けることができる。したがって、木の枝Ｔ１を十分短く切断することができる。
　【００２３】
　また、ケース本体１の前部側にタンク１３を設け、このタンク１３を斜めに傾斜させることによって傾斜面１ｅを形成しているから、この傾斜面１ｅを容易に形成することができる。すなわち、タンク１３は、形状を変えてもその性能を損なうことがないから、傾斜面１ｅを有するように容易に設計変更することができる。
　【００２４】
　さらに、フロントハンドル５を傾斜面１ｅより後方に配置しているから、フロントハンドル５が木の幹Ｔ２に当たるのを避けることができる。したがって、ガイドバー２を長くすることなく刃付きチェーン３を木の幹Ｔ２により十分近付けることができるので、小型で操作性の良好なチェーンソーを得ることができる。
　【００２５】
　なお、上記実施例においては、ケース本体１の前部側にタンク１３を一体に形成したものを示したが、このタンク１３はケース本体１の内部に別体のもので構成してもよい。ただしこの場合は、ケース本体１の傾斜面１ｅに沿うように、タンク１３にも傾斜面を形成する必要がある。また、傾斜面１ｅをタンク１３の側面に形成するように構成したが、この傾斜面１ｅはタンク１３の側面の一部分あるいは全体にわたって形成してもよく、またタンク１３以外の他方の側面１ｃにまで及ぶように形成してもよいことはいうまでもない。
　【００２６】
　【発明の効果】
　この発明においては、ケース本体（１）の前端面（１ｄ）と側面（１ｃ）との間に傾斜面（１ｅ）が形成されているから、刃付きチェーン（３）を木の幹（Ｔ２）に十分近付けることができる。したがって、木の枝（Ｔ１）を十分短く切断することができる。
　【００２７】
　また、ケース本体（１）の前部側にタンク（１３）を設け、少なくともタンク（１３）の部分を斜めに傾斜させて傾斜面（１ｅ）を形成したものにあっては、タンク（１３）としては形状を変えても性能を損なうことがないから、傾斜面（１ｅ）を容易に形成することができる。
　【００２８】
　さらに、フロントハンドル（５）を傾斜面（１ｅ）より後方に配置
し、かつ前記傾斜面（１ｅ）とほぼ同方向に傾斜して設け
【図面の簡単な説明】
　【図１】
　この発明の一実施の形態として示したチェーンソーの平面図。
　【図２】
　同チェーンソーの詳細を示す平面図。
　【図３】
　同チェーンソーの詳細を示す正面図。
　【図４】
　同チェーンソーの詳細を示す断面図。
　【図５】
　従来的に係るチェーンソーの平面図。
　【図６】
　他の従来的に係るチェーンソーの平面図。
　【図７】
　さらに他の従来例に係るチェーンソーの平面図。
　【符号の説明】
　１　ケース本体
　１ｂ　上面
　１ｃ　他方の側面
　１ｄ　先端面
　２　　ガイドバー
　３　刃付きチェーン
　４　アッパハンドル
　５　フロントハンドル
　１３　タンク